(57)【要約】【課題】印刷物の検品作業を効率良く行うことが可能な印刷検品システムを提供する。【解決手段】印刷ジョブを生成し、送信する印刷ジョブ生成手段と、複数の電子画像を比較し、同一か否かを判定する画像比較手段を備えるホストコンピュータ４０１、４０２はＬＡＮ４００に接続されている。画像入出力システム１００は、ＬＡＮ４００を介して、ホストコンピュータ４０１、４０２と接続されている。画像入出力システム１００は、印刷ジョブを受信し、印刷物を出力するプリンタ部３００、印刷物を走査し、電子画像を生成するリーダ部２００を備える。また、リーダ部２００とプリンタ部３００を制御する制御装置１１０、および制御装置１１０に対してユーザの命令を送信し、またはエラー情報を受信し、受信したエラー情報を表示する操作部１５０も備える。【選択図】図１
2008065447.tif 000002
【特許請求の範囲】
【請求項１】
画像形成装置が解釈可能な印刷ジョブを生成する情報処理装置、および走査部を有する画像形成装置を備えた印刷検品システムであって、
前記情報処理装置は、
複数ページ分の電子画像を格納する格納手段と、
前記画像形成装置から受信した１ページ分の電子画像と、前記格納手段によって格納された電子画像の検品対象ページとを比較する画像比較手段と、
前記画像比較手段によって前記画像形成装置から受信した１ページ分の電子画像と、前記格納手段によって格納された電子画像の検品対象ページとが同一であると判断された場合、前記画像形成装置に対して１ページ分の走査処理要求を発行する発行制御手段と
を有し、
前記画像形成装置は、
前記発行制御手段によって発行された１ページ分の走査処理要求を受信した場合、前記１ページ分の走査処理要求に従って印刷物を１ページ分走査し、前記走査対象となった１ページ分の電子画像を生成する走査制御手段と、
前記走査制御手段によって生成された前記走査対象ページの１ページ分の電子画像を前記情報処理装置へ送信する送信手段と
を有し、
前記走査制御手段は、前記発行制御手段によって発行された走査処理要求を受信するまで、前記走査処理を実行しないことを特徴とする印刷検品システム。
【請求項２】
前記情報処理装置は、前記画像比較手段によって、前記画像形成装置から受信した走査対象である１ページ分の電子画像が描画不正であると判定された場合、前記格納手段によって格納されている前記検品対象ページの電子画像を用いて再印刷用の印刷ジョブを送信する印刷ジョブ送信手段を有し、
前記画像形成装置は、
前記送信された印刷ジョブを受信し、前記受信した印刷ジョブに応じて印刷物を出力する出力手段をさらに備えたことを特徴とする請求項１に記載の印刷検品システム。
【請求項３】
前記発行制御手段は、
前記画像比較手段によって、前記画像形成装置から受信した走査対象ページの電子原稿が白紙であると判定された場合、または、前記画像形成装置から受信した走査対象ページの電子原稿が検品対象ページの前のページと重複していると判定された場合、前記画像形成装置に対してエラー通知を発行することを特徴とする請求項１または２に記載の印刷検品システム。
【請求項４】
前記印刷ジョブ送信手段は、前記画像比較手段によって、前記画像形成装置から受信した走査対象ページの電子原稿が検品対象ページの後のページと重複していると判定された場合、前記検品対象ページの電子画像を用いて再印刷用の印刷ジョブを送信することを特徴とする請求項３に記載の印刷検品システム。
【請求項５】
前記画像形成装置は、前記発行制御手段によって発行されたエラー通知に基づくエラー情報を表示する表示制御手段を有し、
前記表示制御手段は、前記画像比較手段によって、前記画像形成装置から受信した走査対象である１ページ分の電子画像について、予め設定されている閾値以上傾きを補正した場合、再印刷が実行されることを表示し、
前記画像比較手段によって、前記画像形成装置から受信した走査対象ページの電子原稿で白紙であると判定された場合、白紙を取り除き再走査する指示情報を表示し、
前記画像比較手段によって、検品対象ページの前のページと重複していると判定された場合、走査対象ページであった重複ページを取り除き再走査する指示情報を表示し、
前記画像比較手段によって、検品対象ページの後のページと重複していると判定された場合、再印刷が実行されることを表示することを特徴とする請求項４に記載の印刷検品システム。
【請求項６】
受信した印刷ジョブに基づいて印刷物を出力し、走査部を備えた画像形成装置であって、
前記印刷物の出力に際して生成された複数ページ分の電子画像を格納する格納手段と、
検品処理の入力に従って、１ページ分の走査指示を発行する走査指示発行手段と、
前記走査指示発行手段によって発行された１ページ分の走査指示に従って、走査対象ページの１ページ分の印刷物を走査する走査制御手段と、
前記走査制御手段の走査処理によって生成された１ページ分の電子画像と、前記格納手段によって格納された前記走査対象ページに対応する電子画像とを比較する画像比較手段と
を備え、
前記走査指示発行手段は、前記画像比較手段の比較処理によって、前記走査制御手段の走査処理によって生成された１ページ分の電子画像と、前記格納手段によって格納された前記走査対象ページに対応する電子画像とが同一であると判断された場合、１ページ分の走査指示を発行し、
前記走査制御手段は、前記１ページ分の走査指示を受信するまで、前記走査する処理を実行しないことを特徴とする画像形成装置。
【請求項７】
画像形成装置が解釈可能な印刷ジョブを生成する情報処理装置、および走査部を有する画像形成装置を備えた印刷検品システムにおける印刷検品方法であって、
前記情報処理装置は、
複数ページ分の電子画像を格納するステップと、
前記画像形成装置から受信した１ページ分の電子画像と、前記格納するステップにより格納された電子画像の検品対象ページとを比較するステップと、
前記比較するステップによって前記画像形成装置から受信した１ページ分の電子画像と、前記格納された電子画像の検品対象ページとが同一であると判断された場合、前記画像形成装置に対して１ページ分の走査処理要求を発行するステップと
を備え、
前記画像形成装置は、
前記１ページ分の走査処理要求を受信した場合、前記１ページ分の走査処理要求に従って印刷物を１ページ分走査し、前記走査した１ページ分の電子画像を生成するステップと、
前記生成された前記１ページ分の電子画像を前記情報処理装置へ送信するステップと
を備え、
前記１ページ分の電子画像を生成するステップは、前記１ページ分の走査処理要求を受信するまで、前記走査する処理を実行しないことを特徴とする印刷検品方法。
【請求項８】
前記情報処理装置は、
前記比較するステップによって前記画像形成装置から受信した走査対象である１ページ分の電子画像が描画不正であると判定された場合、前記格納された前記検品対象ページの電子画像を用いて再印刷用の印刷ジョブを送信するステップをさらに備え、
前記画像形成装置は、
前記送信された印刷ジョブを受信し、前記印刷ジョブに応じて印刷物を出力するステップをさらに備えたことを特徴とする請求項７に記載の印刷検品方法。
【請求項９】
前記画像形成装置から受信した走査対象ページの電子原稿が白紙であると判定された場合、または、前記画像形成装置から受信した走査対象ページの電子原稿が検品対象ページの前のページと重複していると判定された場合、前記画像形成装置に対してエラー通知を発行するステップをさらに備えたことを特徴とする請求項７または８に記載の印刷検品方法。
【請求項１０】
前記画像形成装置から受信した前記走査対象ページの電子原稿が検品対象ページの後のページと重複していると判定された場合、前記検品対象ページの電子画像を用いて再印刷用の印刷ジョブを送信するステップをさらに備えたことを特徴とする請求項９に記載の印刷検品方法。
【請求項１１】
前記画像形成装置は、前記発行されたエラー通知に基づくエラー情報を表示するステップをさらに備え、
前記表示するステップは、
前記画像形成装置から受信した走査対象である１ページ分の電子画像について、予め設定されている閾値以上傾きを補正した場合、再印刷が実行されることを表示し、
前記比較するステップによって、前記画像形成装置から受信した走査対象ページの電子原稿で白紙であると判定された場合、白紙を取り除き再走査する指示情報を表示し、
前記比較するステップによって、検品対象ページの前のページと重複していると判定された場合、走査対象ページであった重複ページを取り除き再走査する指示情報を表示し、
前記比較するステップによって、検品対象ページの後のページと重複していると判定された場合、再印刷が実行されることを表示することを特徴とする請求項１０に記載の印刷検品方法。
【請求項１２】
受信した印刷ジョブに基づいて印刷物を出力し、走査部を備えた画像形成装置における印刷検品方法であって、
前記印刷物の出力に際して生成された複数ページ分の電子画像を格納するステップと、
検品処理の入力に従って、１ページ分の走査指示を発行する走査指示発行ステップと、
前記走査指示発行ステップによって発行された１ページ分の走査指示に従って、走査対象ページの１ページ分の印刷物を走査する走査ステップと、
前記走査するステップによって生成された１ページ分の電子画像と、前記格納するステップによって格納された前記走査対象ページに対応する電子画像とを比較するステップと
を備え、
前記走査指示発行ステップは、前記走査するステップによって生成された１ページ分の電子画像と、前記格納するステップによって格納された前記走査対象ページに対応する電子画像とが同一であると判断された場合、１ページ分の走査指示を発行するステップをさらに備え、
前記走査ステップは、前記１ページ分の走査指示を受信するまで、前記走査する処理を実行しないことを特徴とする印刷検品方法。
【発明の詳細な説明】
【技術分野】
【０００１】
本発明は、印刷システムおよび印刷物の検品システムに関する。
【背景技術】
【０００２】
従来から、プリンタなどの印刷装置において、印刷出力結果を保証するための仕組みが考えられてきた。
【０００３】
一例を挙げると、印刷装置から出力されたシートが不良シートであるかどうかを検知することができる検品装置が提案されている（特許文献１参照）。
【０００４】
他の例を挙げると、印刷装置において、用紙の搬送路にて紙詰まり（ジャム）が発生した際に、ユーザがジャム紙を取り除いた後は自動的にジャムリカバリを行う機能がある。これにより、ユーザはジャムによって印刷できなかったページを意識することなく、残りのページを継続出力することが可能であった。
【０００５】
【特許文献１】特開２００４−１９５６８０号公報（第５〜１０頁、第１図および第６図）
【発明の開示】
【発明が解決しようとする課題】
【０００６】
しかしながら、個人情報を含む帳票などページ順が入れ替わることが許されない帳票を、定められた順序で大量に印刷する場合には、印刷出力結果を保証するため、人手による検品作業を印刷後に全ページにわたって行わなければならない。検品作業に際しては、発生したトラブルの内容を人間が判断して、対処する必要がある。
【０００７】
また、従来技術では給紙トレイから密着した２枚の用紙をそのまま出力してしまう白紙重送、ジャムリカバリによるページ重複、ＲＩＰ異常時のジョブ順入れ替わりにより発生するページ欠損、エンジントラブルによる印字不良等について検知することができない。
【０００８】
さらに、従来の自動ジャムリカバリ機能では、ジャムリカバリに失敗し、ページ「重複」が発生するケースがある。例えば、ジャム発生時に機器を停止し、紙搬送を停止した場合に排紙口付近にあった排紙直前の用紙が、慣性によって排紙されてしまうケースがある。この状態から、ジャムリカバリが実施されると、機器は排紙口付近にあった用紙が排紙されてしまっていることを検知できないため、そのページは２枚出力されている状態になる。
【０００９】
ＬＡＮ（構内通信網）を利用し、複数のジョブをネットワーク経由で受信する場合、送信側のホストコンピュータから送信された順番で印刷装置が出力することを要求されたとしても、ＴＣＰ／ＩＰネットワークの下では、受信順番の保証はされない場合もある。
【００１０】
個人情報にかかわる情報を出力する際など、定められた順序で印刷する際には、ページ順が入れ替わるトラブルは許されない。こういった情報を含む帳票を印刷する際には、出力結果に正確を期すため、印刷後に人手による全ページのチェックが必須であるが、膨大なページ数の出力結果を人手でチェックするという労力は、非常に大きいという問題が存在する。
【００１１】
また、例えば、印刷装置によって出力された出力結果の全ページを走査して全ページ分の画像データを生成し、これらの画像データと、印刷ジョブの送信元に格納されている画像データとを比較することで自動的な検品処理を実現することが考えられる。
【００１２】
しかし、上記のように想定される技術では、全ページを走査しているため、例えば、画像データの比較の結果、白紙を取り除く作業が必要と判断された場合、作業者は、出力結果から白紙を取り除くべき対象ページを手作業で見つけなければならない。その結果、労力を軽減することができなくなるおそれもある。
【００１３】
本発明は、このような課題に鑑みてなされたもので、その目的とするところは、印刷物の検品作業を効率良く行うことが可能な印刷検品システムを提供することにある。
【課題を解決するための手段】
【００１４】
上記の課題を解決するため、本発明の印刷検品システムは、画像形成装置が解釈可能な印刷ジョブを生成する情報処理装置、および走査部を有する画像形成装置を備えた印刷検品システムであって、情報処理装置は、複数ページ分の電子画像を格納する格納手段と、画像形成装置から受信した１ページ分の電子画像と、格納手段によって格納された電子画像の検品対象ページとを比較する画像比較手段と、画像比較手段によって画像形成装置から受信した１ページ分の電子画像と、格納手段によって格納された電子画像の検品対象ページが同一であると判断された場合、画像形成装置に対して１ページ分の走査処理要求を発行する発行制御手段とを有し、画像形成装置は、発行制御手段によって発行された１ページ分の走査処理要求を受信した場合、１ページ分の走査処理要求に従って印刷物を１ページ分走査し、走査対象となった１ページ分の電子画像を生成する走査制御手段と、走査制御手段によって生成された走査対象ページの１ページ分の電子画像を情報処理装置へ送信する送信手段とを有し、走査制御手段は、発行制御手段によって発行された走査処理要求を受信するまで、走査処理を実行しないことを特徴とする。
【００１５】
また、本発明の印刷検品システムにおける画像形成装置は、受信した印刷ジョブに基づいて印刷物を出力し、走査部を備えた画像形成装置であって、印刷物の出力に際して生成された複数ページ分の電子画像を格納する格納手段と、検品処理の入力に従って、１ページ分の走査指示を発行する走査指示発行手段と、走査指示発行手段によって発行された１ページ分の走査指示に従って、走査対象ページの１ページ分の印刷物を走査する走査制御手段と、走査制御手段の走査処理によって生成された１ページ分の電子画像と、格納手段によって格納された走査対象ページに対応する電子画像を比較する画像比較手段を備え、走査指示発行手段は、画像比較手段の比較処理によって、走査制御手段の走査処理によって生成された１ページ分の電子画像と、格納手段によって格納された走査対象ページに対応する電子画像とが同一であると判断された場合、１ページ分の走査指示を発行し、走査制御手段は、前記１ページ分の走査指示を受信するまで、走査する処理を実行しないことを特徴とする。
【００１６】
また、本発明の印刷検品方法は、画像形成装置が解釈可能な印刷ジョブを生成する情報処理装置、および走査部を有する画像形成装置を備えた印刷検品システムにおける印刷検品方法であって、情報処理装置は、複数ページ分の電子画像を格納するステップと、画像形成装置から受信した１ページ分の電子画像と、格納された電子画像の検品対象ページとを比較するステップと、前記画像形成装置から受信した１ページ分の電子画像と、前記格納された電子画像の検品対象ページが同一であると判断された場合、前記画像形成装置に対して１ページ分の走査処理要求を発行するステップを備え、画像形成装置は、１ページ分の走査処理要求を受信した場合、１ページ分の走査処理要求に従って印刷物を１ページ分走査し、走査した１ページ分の電子画像を生成するステップと、生成された前記１ページ分の電子画像を情報処理装置へ送信するステップとを備え、１ページ分の電子画像を生成するステップは、１ページ分の走査処理要求を受信するまで、走査する処理を実行しないことを特徴とする。
【００１７】
さらに、本発明の印刷検品方法は、受信した印刷ジョブに基づいて印刷物を出力し、走査部を備えた画像形成装置における印刷検品方法であって、印刷物の出力に際して生成された複数ページ分の電子画像を格納するステップと、検品処理の入力に従って、１ページ分の走査指示を発行する走査指示発行ステップと、走査指示発行ステップによって発行された１ページ分の走査指示に従って、走査対象ページの１ページ分の印刷物を走査する走査ステップと、走査するステップによって生成された１ページ分の電子画像と、格納するステップによって格納された走査対象ページに対応する電子画像とを比較するステップとを備え、走査指示発行ステップは、走査するステップによって生成された１ページ分の電子画像と、格納するステップによって格納された走査対象ページに対応する電子画像とが同一であると判断された場合、１ページ分の走査指示を発行するステップをさらに備え、走査ステップは、１ページ分の走査指示を受信するまで、走査する処理を実行しないことを特徴とする。
【発明の効果】
【００１８】
本発明によれば、検品作業を効率的に行うことが可能となる。
【発明を実施するための最良の形態】
【００１９】
図１から図７を参照し、本発明の実施形態に係る印刷検品システムについて、詳細に説明する。ただし、この実施形態は例示的なものであり、本発明の範囲をこれらに限定する趣旨ではない。
【００２０】
図１は、本発明の印刷検品システムの実施形態に係る画像入出力システム１００の全体構成を示す図である。  
図１において、画像入出力システム１００は、リーダ部２００、プリンタ部３００、制御装置（コントローラ部）１１０、および操作部１５０を備える。
【００２１】
リーダ部２００は、原稿画像を光学的に読み取り、画像データ（電子画像ともいう）に変換する機能を提供する。リーダ部２００は、原稿を光学的に読み取るための機能を有するスキャナユニット２１０、および原稿用紙を搬送するための機能を有する原稿給紙ユニット（ＤＦユニット）２５０を備える。
【００２２】
なお、本願のリーダ部は図６にて後述するように、情報処理装置であるホストコンピュータから１ページのスキャン要求を受信するまで原稿画像の読み取りを待機し、スキャン要求の受信に従って１ページ分の原稿を読み取ることを可能とする。
【００２３】
プリンタ部３００は、記録紙を搬送し、記録紙上に上記画像データを可視画像として印字して装置外に排紙する機能を提供する。プリンタ部３００は、給紙ユニット３１０、マーキングユニット３２０、排紙ユニット３３０、およびフィニッシャユニット５００を備える。給紙ユニット３１０は、複数種類の記録紙カセットを有し、マーキングユニット３２０は、画像データを記録紙に転写し、定着させる機能を有する。排紙ユニット３３０は、印字された記録紙を装置外へ出力する機能を有し、フィニッシャユニット５００は、ステイプル処理、ソート処理の機能を有する。
【００２４】
制御装置１１０は、リーダ部２００、およびプリンタ部３００と電気的に接続され、ＬＡＮ４００を介して、ホストコンピュータ４０１、４０２と接続されている。制御装置１１０は、画像入出力システム１００全体の主制御部をなすＣＰＵであって、各部を制御するＣＰＵを備える。また、制御装置１１０は、ＣＰＵの制御プログラム等を格納したＲＯＭのほか、各種データの保存や画像データの処理、その他ワーク用に使用されるＲＡＭ等を有するメモリを備える。このような制御装置１１０によって、画像入出力システム１００の各部は統合して制御される。
【００２５】
すなわち、制御装置１１０は、リーダ部２００を制御して原稿の画像を読み込ませ、画像データに変換させ、プリンタ部３００を制御して画像データを記録紙に印字させる機能（コピー機能）を提供する。また、制御装置１１０は、リーダ部２００で変換された画像データをコードデータに変換し、ＬＡＮ４００を介してホストコンピュータ４０１、４０２に送信する機能も提供する。さらに、制御装置１１０は、ホストコンピュータ４０１、４０２から、ＬＡＮ４００を介して受信したコードデータを画像データに変換し、プリンタ部３００に出力させるプリンタ機能も提供する。
【００２６】
操作部１５０は、液晶タッチパネルで構成され、画像入出力システム１００を操作するためのユーザインターフェースを提供し、制御装置１１０に接続される。すなわち、操作部１５０は、所定の指令あるいはデータなどを入力するキーボードあるいは各種スイッチなどを含む入力操作部と、入力・設定状態やエラー情報などをはじめとする種々の表示を行う表示部とを備える。
【００２７】
図２は、画像入出力システム１００のリーダ部２００、およびプリンタ部３００の一例を示す断面図である。  
まず、リーダ部２００における動作を、図２を参照しながら説明する。
【００２８】
リーダ部２００は、原稿給紙ユニット２５０から原稿を先頭順に１枚ずつプラテンガラス２１１上に搬送し、原稿画像を読み取る。すなわち、リーダ部２００は、原稿がプラテンガラス２１１上に搬送されると、ランプ２１２を点灯させ、光学ユニット２１３を移動させて、原稿を露光走査する。この時の原稿からの反射光は、ミラー２１４、２１５、および２１６、並びにレンズ２１７によってＣＣＤイメージセンサ（以下、ＣＣＤという）２１８へ導かれる。このように、露光走査された原稿の画像は、ＣＣＤ２１８によって読み取られ、ＣＣＤ２１８は、その原稿の画像を画像データに変換した後、制御装置１１０に送信する。原稿画像を読み取る動作が終了した後、リーダ部２００は、プラテンガラス２１１上の原稿を排出トレイ２１９に排出する。
【００２９】
次に、プリンタ部３００における動作を、図２を参照しながら説明する。
【００３０】
レーザドライバ３２１は、レーザ発光部３２２を駆動させ、制御装置１１０から出力された画像データに応じたレーザ光をレーザ発光部３２２に発光させる。レーザ光は、ミラー３４０によって感光ドラム３２３に照射され、感光ドラム３２３は、その上にレーザ光に応じた潜像を形成する。現像器３２４は、感光ドラム３２３上に形成された潜像の部分に現像剤を付着させる。
【００３１】
レーザ光の照射開始と同期したタイミングで、プリンタ部３００は、カセット３１１、３１２、３１３、および３１４、並びに手差し給紙段３１５のいずれかから記録紙を給紙する。給紙された記録紙は、転写部３２５へ搬送路３３１を通過して搬送され、感光ドラム３２３は、その上に付着した現像剤を記録紙に転写する。現像剤が転写された記録紙は、搬送ベルト３２６によって定着部３２７へ搬送され、定着部３２７は、定着部３２７自体の熱と圧力により現像剤を記録紙に定着させる。
【００３２】
定着部３２７を通過した記録紙は、搬送路３３５、３３４を通り排出される。排出の際に、印字面を反転して排出する場合、すなわち、印字面を下側にして排出する場合は、記録紙は、搬送路３３６を通り、搬送路３３８まで導かれた後、そこから逆方向に搬送され、搬送路３３７、３３４を通り排出される。
【００３３】
また、記録紙に両面記録（両面印刷）をする場合、記録紙は、定着部３２７を通過した後、搬送路３３６からフラッパ３２９によって、搬送路３３３に導かれる。その後、記録紙は逆方向に搬送され、フラッパ３２９によって、搬送路３３８、再給紙搬送路３３２へ導かれる。再給紙搬送路３３２へ導かれた記録紙は、搬送路３３１を通り、転写部３２５へ給紙され、印字されていない面に対して、上述したように現像剤が転写され、定着させられる。
【００３４】
搬送路３３４により排出された記録紙は、フィニッシャユニット５００へ搬送される。搬送された記録紙は、まずバッファユニット５０１へ搬送される。バッファユニット５０１では、場合に応じて搬送されてきた記録紙をバッファローラに巻きつけてバッファリングする。例えば、後続処理で行われるステイプル処理などで時間がかかる場合には、このバッファユニット５０１を利用することによって、搬送されてくる記録紙の搬送速度を一定に保つことができ、スループットの向上に役立たせることが可能である。  
記録紙は、この後、上流排出ローラ対５０２、下流排出ローラ対５０３によってスタックトレイ５０４に排出される。
【００３５】
図３は、画像入出力システム１００のリーダ部２００、およびプリンタ部３００を操作する操作部１５０の外観の一例を示す図である。  
操作部１５０を、図３を参照しながら説明する。  
操作部１５０は、ＬＣＤタッチパネル（液晶ディスプレイ）６００、テンキー６０１、ＩＤキー６０２、リセットキー６０３、ガイドキー６０４、ユーザモードキー６０５、割り込みキー６０６、スタートキー６０７、ストップキー６０８を備える。また、操作部１５０は、ソフト電源スイッチ６０９、節電キー６１０、ファンクションキー６１１、６１２、６１３、調整キー６１４、カウンタ確認キー６１５、実行／メモリＬＥＤ６１６、エラーＬＥＤ６１７、電源ＬＥＤ６１８も備える。
【００３６】
ＬＣＤタッチパネル６００は、主なモード設定のために使用され、ユーザがＬＣＤタッチパネル６００上のメニューを押下することにより、対応する状況表示を行う。テンキー６０１は、０から９までの数値を入力するために使用され、ＩＤキー６０２は、装置が部門別に管理されている場合に部門番号と暗証番号を入力する際に使用される。リセットキー６０３は、設定されたモードをリセットするために使用され、ガイドキー６０４は、設定された各モードについての画面を表示するために使用される。ユーザモードキー６０５は、ユーザモード画面に入るために使用され、割り込みキー６０６は、割り込みコピーを行う際に使用される。スタートキー６０７は、コピー動作や検品作業をスタートさせるため、および検品時にエラーが発生した場合、再スタートさせるために使用される。ストップキー６０８は、実行中のコピージョブを中止させるために使用される。
【００３７】
ソフト電源スイッチ６０９は、押下することによりＬＣＤタッチパネル６００のバックライトを消し、装置を省電力状態にするために使用される。節電キー６１０は、押下することにより装置を省電力状態に入らせ、再度押下することで節電状態から復帰させるために使用される。
【００３８】
ファンクションキー６１１、６１２、および６１３は、装置を、それぞれ拡張、ボックス、コピー機能に移行させるために使用される。図３の例は、コピーの標準機能が表示された状態を示し、ファンクションキー６１１および６１２を押下することにより、それぞれ拡張機能およびボックス機能に対応する標準画面が表示される。
【００３９】
調整キー６１４は、ＬＣＤタッチパネル６００のコントラストを調整するために使用される。カウンタ確認キー６１５は、キーを押下することでそれまでに使用したコピー枚数の集計を表示するカウント画面を、ＬＣＤタッチパネル６００上に表示させるために使用される。
【００４０】
実行／メモリＬＥＤ６１６は、ジョブが実行中であること、および画像メモリへの画像蓄積中であることを示し、エラーＬＥＤ６１７は、ジャム（紙詰まり）やドアオープンなど装置がエラー状態にあることを示す。また、電源ＬＥＤ６１８は、メインスイッチがＯＮになっていることを示す。
【００４１】
図５は、ホストコンピュータ４０１における、検品可能な印刷ジョブを生成する処理を示すフローチャートである。以下、フローチャートを参照しながら説明する。
【００４２】
ホストコンピュータ４０１（または、ホストコンピュータ４０２。以下同じ）は、ステップＳ５０１にて、印刷ジョブを生成する。すなわち、ホストコンピュータ４０１は、ホストコンピュータ４０１上のプリンタドライバによって、アプリケーションから出力された描画データに基づいてプリンタ部３００で印刷可能なデータを生成する。このデータは、例えば、ＰＤＬデータ（ページ記述言語）、Ｔｉｆｆイメージ、およびＰＤＦファイルなどの形式をとる。
【００４３】
ホストコンピュータ４０１は、ステップＳ５０２にて、上記印刷ジョブに固有のジョブＩＤ（識別情報）を付加し、制御装置１１０を介して、プリンタ部３００に送信する。なお、ジョブＩＤを付加する方法の一例として、ユーザがプリンタドライバの設定画面を介してジョブＩＤを入力する技術が挙げられる。または、プリンタドライバが、印刷ジョブの発行時にジョブＩＤを付加することも考えられる。この場合、プリンタドライバは、付加したジョブＩＤをユーザに報知する。
【００４４】
併せて、ホストコンピュータ４０１は、ステップＳ５０３にて、上記印刷ジョブをホストコンピュータ４０１内でビットマップイメージに展開する。このビットマップ展開処理は、プリンタ部３００内で実施されるＲＩＰ処理と同様の処理である。すなわち、ホストコンピュータ４０１は、印刷ジョブの印刷データについてページ毎にＲＩＰ済み画像データを生成する。よって、印刷ジョブが複数ページの印刷データを含んでいる場合は、そのページ数分のＲＩＰ済み画像データが生成される。また、印刷ジョブが１ページの印刷データを含む場合、ホストコンピュータ４０１は、１ページ分のＲＩＰ済み画像データを生成する。
【００４５】
ホストコンピュータ４０１は、ステップＳ５０４にて、上記ジョブＩＤを付加した、ビットマップ展開した複数ページの画像データをホストコンピュータ４０１内のＨＤＤ（ハードディスク読取装置）に格納する。
【００４６】
図６は、制御装置１１０における、検品処理を示すフローチャートであり、図７は、ホストコンピュータ４０１における、検品処理を示すフローチャートである。以下、２つのフローチャートを参照しながら説明する。
【００４７】
制御装置１１０は、ステップＳ６０１にて、リーダ部２００の原稿給紙ユニット２５０に原稿が置かれていることを検知すると、ステップＳ６０２にて、ユーザにジョブＩＤの入力を促す画面を操作部１５０に表示する。このジョブＩＤは、ステップＳ５０２にて印刷データに付加されるジョブＩＤを指す。この際、ユーザがＬＣＤタッチパネル６００上のメニューを操作すると、ＬＣＤタッチパネル６００上にジョブＩＤの過去履歴についての情報が表示され、ユーザは、検品対照の印刷物のジョブＩＤをこの履歴情報から知るようにしてもよい。次いで、原稿給紙ユニット２５０に置かれた原稿に対応するジョブＩＤが、ステップＳ６０３にて、ユーザにより操作部１５０を介して入力される。その後、スタートキー６０７が押下されると、制御装置１１０は、ステップＳ６０４にて、ホストコンピュータ４０１にジョブＩＤを送信し、ステップＳ６０５にて、受信待ち状態になる。つまり、制御装置１１０は、ホストコンピュータ４０１から発行される１ページ分の走査処理要求を受信するまで、走査処理を実行しない。
【００４８】
なお、上記原稿は、プリンタ部３００にて出力された印刷物であっても良いし、ホストコンピュータ４０１に接続された、画像入出力システム１００とは別個の画像形成装置にて出力された印刷物であっても良い。
【００４９】
ホストコンピュータ４０１は、ステップＳ７０１にて、制御装置１１０からジョブＩＤを受信すると、ステップＳ７０２にて、ホストコンピュータ４０１内のＨＤＤに、該当するジョブＩＤのＲＩＰ済み画像データが存在するか否かを確認する。
【００５０】
ＲＩＰ済み画像データが見つからない場合、ホストコンピュータ４０１が受信したジョブＩＤは、ホストコンピュータ４０１自身が生成した印刷ジョブではないため、ステップＳ７１８にて、検品不可能であることを制御装置１１０に通知する。すなわち、ホストコンピュータ４０１は、検品不可能に関する情報を制御装置１１０に送信し、制御装置１１０は、操作部１５０に検品不可能である旨のメッセージを表示し、併せてエラーＬＥＤ６１７を光らせ、ユーザに知らせる。なお、ユーザに知らせる場合、エラーメッセージだけでなく、警告音など聴覚に訴える方法をとることもできる。
【００５１】
一方、受信したジョブＩＤに対応するＲＩＰ済み画像データが見つかった場合、ホストコンピュータ４０１は、ステップＳ７０３にて、制御装置１１０に対して、１ページをスキャン（走査）する要求に関する情報を送信する。その後、ホストコンピュータ４０１は、ステップＳ７０４にて、受信待ちの状態になる。
【００５２】
ここで、図６の説明に戻る。制御装置１１０は、ステップＳ６０６にて、ホストコンピュータ４０１から情報を受信する。ステップＳ６０７にて、制御装置１１０は、ステップＳ６０６にて受信した情報がスキャン要求に関する情報であることを確認すると、ステップＳ６０８にて、リーダ部２００に走査対象ページについて１ページ分のスキャンを行わせる。スキャンが成功した場合、制御装置１１０は、ステップＳ６１０にて、スキャン済みの１ページ分の画像データをホストコンピュータ４０１に送信する。一方、スキャンに失敗した場合、制御装置１１０は、ステップＳ６０９にて、スキャンエラーに関する情報をホストコンピュータ４０１に送信する。
【００５３】
ここで、図７の説明に戻る。ホストコンピュータ４０１は、ステップＳ７０５にて制御装置１１０から情報を受信する。ホストコンピュータ４０１は、ステップＳ７０６にて、制御装置１１０からスキャン済み画像データを受信すると、ステップＳ７０７にて、スキャン済み画像データと、ホストコンピュータに格納されているＲＩＰ済み画像データとを比較する。つまり、ホストコンピュータ４０１は、ホストコンピュータ４０１にて格納されている画像データについて、上記Ｓ７０１にて受信したジョブＩＤに対応する画像データの１ページ目と、スキャン済み画像データとを比較する。なお、最初のフローでは１ページ目を検品対象としているが、以降スキャン済み画像データを受信する度に２ページ目、３ページ目と検品対象をページ順に従って順次変更する。ホストコンピュータ４０１は、ステップＳ７０８にて、比較した２枚の画像データが同一画像であり、ページ順も誤りがないと判断した場合は、ステップＳ７０３に戻り、制御装置１１０に対して、次ページの１ページ分のスキャンを要求する。なお、同一とは、完全同一でなくてもよく、類似の範囲でも構わない。また、類似の範囲の例として、一致率を算出して、算出結果が予め設定されている閾値以上であれば同一画像と判定する。ここで、Ｓ７０７、Ｓ７０８の処理について詳細に説明する。ホストコンピュータ４０１は、スキャン済み画像データを受信した場合、受信したスキャン済み画像データを傾き補正し、傾き補正後のスキャン済み画像データとホストコンピュータ４０１にて格納している検品対象ページの画像データとを比較する。ここで、同一画像であると判定された場合、傾き補正の割合を特定し、許容範囲内か否かを判定する。許容範囲内であれば同一画像と判定するが、許容範囲内でなければ、同一画像ではあるが、再印刷が必要と判定して「Ｓ７０８−Ｎｏ」と判定する。なお、許容範囲は、予めユーザがホストコンピュータ４０１に設定するものとする。
【００５４】
さらに、ホストコンピュータ４０１は、傾き補正後のスキャン済み画像データと格納されている検品対象ページの画像データとの比較により、一致する部分と一致しない部分が混在する場合、ページの全内容の内、何割程度一致しているかを判定する。ここで、一致している割合が閾値以上であれば同一画像と判定するが、閾値未満である場合、再印刷が必要として「Ｓ７０８−Ｎｏ」と判定する。
【００５５】
一方、ホストコンピュータ４０１は、ステップＳ７０８にて同一画像ではないと判断した場合、ステップＳ７０９にて、同一画像ではない理由が「白紙」または「ページ重複」であるかを判定する。「白紙」であるかどうかは、受信したスキャン画像から容易に判断でき、「ページ重複」であるかは、ホストコンピュータ４０１に保持されている画像データの検品対象ページの前のページと、今回受信したスキャン画像と比較することにより判断できる。また、受信したスキャン済み画像データが、検品対象ページの後のページと同一であると判定された場合、ホストコンピュータ４０１は、検品対象ページの画像データを用いて印刷ジョブを生成して印刷装置（プリンタ部３００）へ送信する。
【００５６】
ホストコンピュータ４０１は、ステップＳ７０９にて、「白紙」または「ページ重複」であると判断した場合、ステップＳ７１０にて、制御装置１１０にエラー通知を行う。すなわち、ホストコンピュータ４０１は「白紙」または「ページ重複」のいずれかに該当するエラー通知に関する情報を制御装置１１０に送信する。その結果、制御装置１１０は、操作部１５０にて、白紙ページを取り除いてスキャンすることを表示する。この場合、ユーザが白紙ページを取り除いたことを操作部１５０にて入力すると、制御装置１１０によって、取り除かれたことがホストコンピュータ４０１に通知され、スキャン指示が発行される。
【００５７】
さらに、ホストコンピュータ４０１が、ステップＳ７０９にて、「白紙」または「ページ重複」のいずれでもないと判断した場合、ステップＳ７１１にて、「ページ欠損」または「印字不良」のいずれかに該当すると判定する。このような場合、ホストコンピュータ４０１は、ステップＳ７１２にて、格納していたＲＩＰ済み画像データを印刷データとして利用し、該当ページのみを再印刷する１ページ印刷ジョブを生成し、制御装置１１０を介して、プリンタ部３００に送信する。その後、ステップＳ７１３にて、「ページ欠損」や「印字不良」の理由で１ページのみ再印刷されることを制御装置１１０に対してエラー通知を行う。すなわち、ホストコンピュータ４０１は、１ページのみ再印刷するエラー通知に関する情報を制御装置１１０に送信する。なお、ホストコンピュータ４０１は、再印刷されることを通知してから、再印刷用の印刷ジョブを送信しても構わない。
【００５８】
ここで、図６の説明に戻る。制御装置１１０は、ステップＳ６０７にて、ステップＳ６０６においてホストコンピュータ４０１から受信した情報がスキャン要求に関する情報ではないと判断した場合、ステップＳ６１１に進む。ステップＳ６１１にて、制御装置１１０は、ホストコンピュータ４０１からエラー通知を受信すると、ステップＳ６１２に進む。制御装置１１０は、ステップＳ６１２にて、検品作業を一旦停止し、エラーＬＥＤ６１７を光らせる。併せて、制御装置１１０は、操作部１５０のＬＣＤタッチパネル６００上に、受信したエラー通知に関する情報に基づいて、以下に示すような、通知されたエラーの内容およびその対処のやり方を表示する。なお、エラーの内容およびその対処のやり方を表示するだけでなく、警告音など聴覚に訴える方法を併せてとることもできる。
【００５９】
エラー通知の内容が「白紙」の場合には、排出トレイ２１９上の一番上の紙が白紙であるため、白紙ページを取り除き、スキャンを再開するようユーザに指示するメッセージが表示される。  
エラーの内容が「ページ重複」の場合には、排出トレイ２１９上の一番上の紙が前ページとの重複であるため、重複ページを取り除き、スキャンを再開するようユーザに指示するメッセージが表示される。  
エラーの内容が「ページ欠損」の場合には、再印刷されたページを原稿給紙ユニット２５０の一番上に載せ、スキャンを再開するようユーザに指示するメッセージが表示される。  
エラーの内容が「印字不良」の場合には、排出トレイ２１９の一番上の印字不良のページを取り除き、再印刷されたページを原稿給紙ユニット２５０の一番上に載せ、スキャンを再開するようユーザに指示するメッセージが表示される。  
また、エラーの内容がスキャン済み画像データと検品対象ページの後のページとが重複している場合、再印刷が実行されることを表示する。
【００６０】
さらに、検品作業中にエラーが発生し、ユーザによる修復がなされている場合には、検品作業終了後、再度検品作業を先頭ページから実施するようユーザに促すメッセージが表示される。
【００６１】
制御装置１１０は、ステップＳ６１３にて、スタートキー６０７が押下されたタイミングでユーザ作業の完了を判断すると、ステップＳ６１４にて、ホストコンピュータ４０１に対してユーザ作業完了を通知する。すなわち、ユーザ作業完了に関する情報をホストコンピュータ４０１に送信する。
【００６２】
ここで、図７の説明に戻る。ホストコンピュータ４０１は、ステップＳ７０６にて、ステップＳ７０５において制御装置１１０から受信した情報がスキャン済み画像ではないと判断すると、ステップＳ７１４に進む。ホストコンピュータ４０１は、ステップＳ７１４にて、ユーザの作業完了の通知に関する情報を受信すると、ステップＳ７０３に戻り、１ページスキャン要求を制御装置１１０に送信する。
【００６３】
上述したように、ステップＳ６０８にてスキャンが失敗した場合、制御装置１１０は、ステップＳ６０９にて、スキャンエラーが発生したことをホストコンピュータ４０１に通知する。スキャンエラーの理由としては、原稿がない（全ての原稿がスキャンされた状態）、またはリーダ部２００の異常が考えられる。
【００６４】
このような場合には、ステップＳ７０５で受信した情報はスキャンエラーに関する情報であるので、ホストコンピュータ４０１は、ステップＳ７０６にてＮＯに進み、ステップＳ７１４でもＮＯに進む。次いで、ホストコンピュータ４０１は、ステップＳ７１５にて、スキャンエラーに関する情報を受信し、ステップＳ７１７にて、検品処理をエラー終了することを制御装置１１０に対して送信する。すなわち、ホストコンピュータ４０１は、エラー終了に関する情報を制御装置１１０に送信する。
【００６５】
この場合、ステップＳ６０６にて受信した情報はエラー終了に関する情報であるので、制御装置１１０は、ステップＳ６０７にてＮＯに進み、ステップＳ６１１でもＮＯに進む。次いで、制御装置１１０は、Ｓ６１５にて、エラー終了に関する情報を受信し、制御装置１１０は、検品処理を終了する。
【００６６】
予期せぬエラー（通信エラー）が、ステップＳ６１６にて発生した場合、制御装置１１０は、操作部１５０にて予期せぬエラーが発生したことに関する情報を表すメッセージを表示させ、エラーＬＥＤ６１７を光らせ、検品作業を終了させる。一方、予期せぬエラー（通信エラー）が、ステップＳ７１６にて発生した場合、ホストコンピュータ４０１は、制御装置１１０に予期せぬエラーが発生したことに関する情報を送信し、上記と同様の処理で検品作業を終了させる。
【００６７】
予期せぬエラーの情報は、検品ジョブ履歴として、制御装置１１０のメモリに残され、ユーザは、操作部１５０のＬＣＤタッチパネル６００上にて、検品ジョブ履歴を表示させ、その内容を把握することができる。
【００６８】
図４は、検品処理におけるホストコンピュータ４０１と、制御装置１１０との間の通信の一例を示すシーケンス図である。以下、シーケンス図を参照しながら説明する。
【００６９】
画像入出力システム１００における制御装置１１０は、検品処理のためにスキャンしている印刷物のジョブＩＤを、ホストコンピュータ４０１に送信する。このジョブＩＤは、上述したように、ユーザによって入力される。
【００７０】
ホストコンピュータ４０１は、ジョブＩＤを受信すると、該当するジョブＩＤのＲＩＰ済み画像データがホストコンピュータ４０１内のＨＤＤに存在するか否かを確認する。ＲＩＰ済みの画像データが存在する場合には、ホストコンピュータ４０１は、制御装置１１０に対して、検品対象の印刷物を１ページスキャンする要求を送信する。
【００７１】
制御装置１１０は、このスキャン要求の受信を確認すると、リーダ部２００に１ページスキャンを行わせる。スキャンが成功した場合、スキャン済み画像データをホストコンピュータ４０１に送信する。
【００７２】
ホストコンピュータ４０１は、制御装置１１０からの受信データがスキャン済み画像データであることを検知すると、ホストコンピュータ４０１内のＨＤＤに格納されているＲＩＰ済み画像データと比較を行う。比較した２枚の画像データが同一画像であり、かつ１ページ目の画像であると判断された場合は、検品対象の印刷物の２ページ目をスキャンするために、１ページスキャンの要求を制御装置１１０に送信する。
【００７３】
制御装置１１０は、１ページ目のスキャンのときと同じように、このスキャン要求の受信を確認すると、リーダ部２００に１ページスキャンを行わせ、スキャンが成功した場合、スキャン済み画像データをホストコンピュータ４０１に送信する。
【００７４】
ホストコンピュータ４０１は、１ページ目のときと同じように、制御装置１１０からの受信データがスキャン済み画像データであることを検知すると、ホストコンピュータ４０１内のＨＤＤに格納されているＲＩＰ済み画像データと比較を行う。比較した２枚の画像データが不一致、すなわち同一画像ではない、または２ページ目の画像ではないと判断した場合は、制御装置１１０に対してエラーを通知する。
【００７５】
このように、画像入出力システム１００とホストコンピュータ４０１を用いて検品することにより、例えばネットワークの通信エラーによって最後のページまでプリンタが受信できなくても、ホストコンピュータ４０１は全ページ分の画像データを保持している。そのため、ホストコンピュータ４０１は、何ページ以降のデータが印刷されなかったかを判定することが可能となる。
【００７６】
なお、本実施例では、画像形成装置である画像入出力システム１００とホストコンピュータ４０１の両者から構成される印刷検品システムとして記載したが、画像入出力システム１００のみを用いて同様の検品処理を行っても構わない。
【００７７】
その場合、画像入出力システム１００の制御装置１１０が、図６および図７の処理を司る。
【００７８】
画像入出力システム１００は、印刷ジョブの生成に使用した複数ページの画像データを識別情報と対応付けて保存しておき、ユーザによって入力された識別情報が入力され、検品処理が指示された場合、リーダ部２００に置かれた印刷物の先頭ページを走査する。そして、走査した先頭ページの画像データと、格納している検品対象ページの画像データとを比較し、同一であれば２ページ目を走査して、画像データを生成する。このような処理を画像形成装置は、繰り返す。検品処理の際、同一でないと判定した場合、図７のＳ７１０、Ｓ７１７の処理を制御装置１１０が実行する。
【実施例１】
【００７９】
（トンボ領域にジョブＩＤとページ番号を印刷する方法）
なお、本実施例では、上記最良の実施形態との差異を中心的に説明する。つまり、本実施例に記載されていない内容は、上記最良の実施形態と同様である。
【００８０】
製本を予定している印刷物の場合には、用紙の隅の裁断される領域に、検品のための「トンボ」を印刷することが知られている。この領域に、ジョブＩＤとページ番号を印刷しておく。それにより、検品時にはリーダ部２００がスキャンした画像の中で、上記ジョブＩＤとページ番号部分のみを光学的に読み取り、そのテキスト情報だけをホストコンピュータ４０１に送信する。その結果、ホストコンピュータ４０１は、ＲＩＰ済みのＩＤとページ番号についての画像データと、プリンタから送信されたＩＤとページ番号部分について比較することが可能になる。
【００８１】
この方法を使用する場合には、「白紙」、「ページ重複」、および「ページ欠損」の検知が可能である。「印字不良」の検知はできないが、その代わりに、上記の実施形態よりもネットワーク負荷を抑えることができる。つまり、リーダ部２００にて走査した画像データを、そのままホストコンピュータ４０１に送信するよりは、そのデータ量の大きさから、ネットワークの負荷を低く抑えることができ、画像比較の処理時間も低減することができる。また、ユーザがジョブＩＤを入力する手間を省くことも可能となり、操作性を向上させることもできる。
【実施例２】
【００８２】
（電子透かしを付加する方法）
なお、本実施例では、上記最良の実施形態との差異を中心的に説明する。つまり、本実施例に記載されていない内容は、上記最良の実施形態と同様である。
【００８３】
上記トンボ領域へ印字する代わりに、電子透かし(ステガノグラフィ)として印字画像に付加する方法も有効である。スキャンした画像から電子透かし情報を抽出して、そのテキスト情報のみをホストコンピュータ４０１に送信し、比較する。
【００８４】
この方法を使用する場合には、印字不良の領域が電子透かしを付加した領域と重なっていれば、前述した実施例の効果に加えて、「印字不良」の検知も可能である。
【実施例３】
【００８５】
（特色蛍光インク／トナーを用いる方法）
なお、本実施例では、上記最良の実施形態との差異を中心的に説明する。つまり、本実施例に記載されていない内容は、上記最良の実施形態と同様である。
【００８６】
特色蛍光インクを印刷可能なプリンタを使用する場合には、特色蛍光インク／トナーを用いて、ジョブＩＤとページ番号を付加することも可能である。
【００８７】
なお、この方法を使用する場合には、リーダ部２００は、紫外線ランプ光源を用いた走査機能を有する必要がある。
【実施例４】
【００８８】
なお、本実施例では、上記最良の実施形態との差異を中心的に説明する。つまり、本実施例に記載されていない内容は、上記最良の実施形態と同様である。
【００８９】
本発明は、複数の機器（例えば、ホストコンピュータ、インターフェース機器、リーダ、プリンタ、フィニッシャ、外部記憶装置など）から構成されるシステムに適用することも可能であり、またそれらの機能を備える１つの装置に適用することも可能である。
【００９０】
また、本発明は、上記各種デバイスと接続された装置またはシステムに対して、上記実施形態の機能を実現するソフトウエアプログラムを供給し、その装置またはシステムのコンピユータに格納されたプログラムにより各種デバイスを動作させる実施形態も含む。
【００９１】
この場合には、上記ソフトウエアプログラム自体は、上述した実施形態の機能を実現する。そのプログラム自体、及びそのプログラムをコンピユータに供給するための手段（例えば、このようなプログラムコードを格納した記憶媒体）は本発明を構成する。かかるプログラムを記憶する記憶媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【００９２】
また、コンピユータが、供給されたプログラムを実行し、上述の実施形態で説明した機能を実現することは本発明の実施形態に含まれる。さらに、そのプログラムがコンピユータ上で稼働しているＯＳまたはアプリケーションソフト等と協働して、上述の実施形態で示した機能が実現できる場合にもかかるプログラムは本発明の実施形態に含まれる。
【００９３】
本発明は、供給されたプログラムが、コンピユータの機能拡張ボードや機能拡張ユニットに備わるメモリに格納された後、そのプログラムに基づいてＣＰＵ等が実際の処理の一部または全部を行い、上述の実施形態の機能を実現する場合も含む。
【図面の簡単な説明】
【００９４】
【図１】本発明の印刷検品システムの実施形態に係る画像入出力システムの全体構成を示す図である。
【図２】画像入出力システムのリーダ部、およびプリンタ部の一例を示す断面図である。
【図３】画像入出力システムのリーダ部、およびプリンタ部を操作する操作部の外観の一例を示す図である。
【図４】検品処理におけるホストコンピュータと、制御装置との間の通信の一例を示すシーケンス図である。
【図５】ホストコンピュータにおける、検品可能な印刷ジョブを生成する処理を示すフローチャートである。
【図６】制御装置における、検品処理を示すフローチャートである。
【図７】ホストコンピュータにおける、検品処理を示すフローチャートである。
【符号の説明】
【００９５】
１００  画像入出力システム
１１０  制御装置
１５０  操作部
２００  リーダ部
４０１、４０２  ホストコンピュータ
【図１】
2008065447.tif 000003
【図２】
2008065447.tif 000004
【図３】
2008065447.tif 000005
【図４】
2008065447.tif 000006
【図５】
2008065447.tif 000007
【図６】
2008065447.tif 000008
【図７】
2008065447.tif 000009